(57)【要約】【課題】  撮像装置から情報処理装置への画像の転送速度が著しく向上しているため、取り込み中画像の表示時間が短時間になってしまい、画像の視認性が低くなってしまう。そこで、特定の画像を目立たせて表示させる。【解決手段】  ＰＣ１０１が、ＵＳＢインターフェース２０１４、外部インターフェース管理システム２０２４、通信モジュール２０３２などの取り込み手段を用いて画像を取り込む。その際、取り込み中画像データ再生アプリケーション２０３１が前記画像に特定の付加情報が付加されている場合と付加されていない場合とで異なる表示をさせる。【選択図】  図５
2007306380.tif 000002
【特許請求の範囲】
【請求項１】
画像を取り込む取り込み手段と、前記取り込み手段で画像を取り込む際に前記画像に特定の付加情報が付加されている場合と付加されていない場合とで異なる表示をさせる表示制御手段を有することを特徴とする情報処理装置。
【請求項２】
前記特定の付加情報は、前記画像のヘッダ部分に記録された情報であることを特徴とする請求項１記載の情報処理装置。
【請求項３】
前記表示制御手段は、画像を取り込む際に前記画像のヘッダ情報に含まれるＤＣＦサムネイルデータを表示することを特徴とする請求項１記載の情報処理装置。
【請求項４】
各画像の取り込み開始から取り込み完了までの時間を計測する取り込み時間計測手段を有し、前記表示制御手段は前記取り込み時間計測手段の計測結果に従って前記特定の付加情報が付加された画像を取り込み後も継続して表示することを特徴とする請求項１記載の情報処理装置。
【請求項５】
全ての画像の取り込み完了かを判別する全画像取り込み完了判別手段と、前記全画像取り込み完了判別手段によって全画像取り込み完了と判別されると前記表示制御手段による表示を全て中止する表示無効手段とを有することを特徴とする請求項４記載の情報処理装置。
【請求項６】
前記特定の付加情報が付加された画像を取り込み後も継続して表示している時間中は、取り込み中に表示していたサイズよりも大きなサイズで前記画像を表示することを特徴とする請求項４記載の情報処理装置。
【請求項７】
前記表示制御手段は、前記特定の付加情報が付加されている画像を取り込む際に前記特定の付加情報の存在を示す付加情報存在情報を表示することを特徴とする請求項１の情報処理装置。
【請求項８】
前記付加情報存在情報の表示と非表示の切り換えを行う付加情報存在情報表示切り換え手段を有することを特徴とする請求項７記載の情報処理装置。
【請求項９】
前記表示制御手段は、前記特定の付加情報を付加されている画像とは異なるウィンドウに前記付加情報存在情報を表示することを特徴とする請求項７記載の情報処理装置。
【請求項１０】
前記付加情報存在情報は、文字列、特定の付加情報が付加された画像の周囲に表示した枠、アイコンの少なくとも一つであることを特徴とする請求項７記載の情報処理装置。
【請求項１１】
前記表示制御手段は、前記特定の付加情報が付加された画像に対して前記特定の付加情報が付加されていない画像をより縮小して表示することを特徴とする請求項１記載の情報処理装置。
【請求項１２】
前記表示制御手段は、非表示に設定された特定の付加情報が付加された画像を取り込む際、前記画像の取り込みが終了するまでの間は、直前までに表示していた内容、あるいは前記非表示に設定された特定の付加情報が付加された画像用の代理画像、文字列のうち少なくとも１つを表示することを特徴とする請求項１記載の情報処理装置。
【請求項１３】
画像を取り込む取り込みステップと、前記取り込みステップで画像を取り込む際に前記画像に特定の付加情報が付加されている場合と付加されていない場合とで異なる表示をさせる表示制御ステップを有することを特徴とする情報処理方法。
【請求項１４】
コンピュータに、画像を取り込む取り込みステップと、前記取り込みステップで画像を取り込む際に前記画像に特定の付加情報が付加されている場合と付加されていない場合とで異なる表示をさせる表示制御ステップとを実行させるためのプログラム。
【請求項１５】
被写体を撮像する撮像手段と、前記撮像手段によって撮像した画像を記録する記録手段と、撮像した画像を組分けする情報としての特定の付加情報を画像データのヘッダに付加する特定情報付加手段を有することを特徴とする撮像装置。
【発明の詳細な説明】
【技術分野】
【０００１】
本発明は、カメラなどの撮像装置から画像を取り込む情報処理装置、情報処理方法、およびそのプログラムに関するものである。
【背景技術】
【０００２】
近年、静止画のみならず動画像の記録も可能であると共に、パソコンなどの情報処理装置に接続してデータ通信が可能なデジタルビデオカメラ、デジタルカメラ、撮像機能付携帯電話といったデジタル撮像機器が広く普及している。そのようなデジタル撮像機器をパソコンなどの情報処理装置に接続することによって、当該情報処理装置が備えるディスプレイに撮影済みの静止画及び動画像を表示することや、当該情報処理装置が備えるハードディスクやＤＶＤ等の記録装置に記録することが可能となった。また、当該情報処理装置から印刷機器を使って静止画像や動画像の一部を印刷することや、当該情報処理装置からＨＴＴＰサーバなどのサーバへ転送することで静止画像や動画像をインターネットで公開することも可能になった。
【０００３】
このように情報処理装置に画像を取り込むことで画像を更に活用できるが、撮像装置から情報処理装置に画像を取り込む際には、必ず取り込み時間が発生する。その取り込み時間中にはこれまではプログレスバー（全工程のうちどこまでが完了しているかを表示する棒グラフ）を用いて画像の取り込み状況を表現していた。しかし、プログレスバーでは実際にどの画像が取り込まれているかが判断できないため、取り込みを完了してから取り込み済みの画像を確認する必要があった。
【０００４】
そこで、転送する画像のダイジェストを撮像装置側で作成して画像より先に情報処理装置に転送、画像の取り込み中には取り込み済みのダイジェストを情報処理装置で再生し、画像の内容を確認しながら取り込みを行う方法が提案されている（特許文献１）。また、取り込み中の画像からサムネイル情報を取り出すことが可能になった時点から取り込み中の画像の取り込みが完了するまでの間、抽出されたサムネイルデータを表示する技術も使われていることが多い。
【０００５】
一方、転送する画像ごとに重要度の違いがあることに着目し、重要度の高い画像に対しては特別な対応をする方法が提案されている（特許文献２）。これは、画像から判断した重要度を基準に、撮像装置から情報処理装置への画像の転送順序を重要度順に変更する。重要度の高いものを最初のうちに転送し、表示することで重要度の高い画像を目立たせることが可能である。
【特許文献１】特開２００３−３３３４６４号公報
【特許文献２】特開２００２−１１２１５８号公報
【発明の開示】
【発明が解決しようとする課題】
【０００６】
しかし撮像装置と情報処理装置が共にＵＳＢ２．０（ＨＩ−ＳＰＥＥＤ  Ｕｎｉｖｅｒｓａｌ  Ｓｅｒｉａｌ  Ｂｕｓ）に対応した環境下などにおいては、転送速度が著しく向上しているために取り込み中の画像のサムネイルの表示時間が短時間になってしまい、画像の視認性が低くなってしまう。
【０００７】
そこで本発明では、画像の転送速度が向上した場合であっても、画像を取り込む際に特定の画像を目立たせて表示させる情報処理装置、情報処理方法、およびそのプログラムを提供することを目的とする。
【課題を解決するための手段】
【０００８】
上記課題を解決するために本発明は、画像を取り込む取り込み手段と、前記取り込み手段で画像を取り込む際に前記画像に特定の付加情報が付加されている場合と付加されていない場合とで異なる表示をする表示制御手段を有することを特徴とする。
【発明の効果】
【０００９】
以上説明したように、本発明によれば、カメラなどの撮像装置やメモリーカードなどの記録媒体から情報処理装置に画像を取り込む際に、特定の画像を目立たせることができる。
【発明を実施するための最良の形態】
【００１０】
図１は本発明の取り込み方法が実施されうるプラットフォームとなる情報処理装置の構成例を示している。図１において１０１は本発明の情報処理装置に相当し得るコンピュータシステム本体であるパーソナルコンピュータ（以下ＰＣ）。１０２はデータを表示するディスプレイ、１０３は代表的なポインティングデバイスであるマウス、１０４はマウスボタン、１０５はキーボードである。１０６はデジタルカメラであり、ＵＳＢ等の通信ケーブル１０７で接続されている。この通信ケーブルを介して相互に各種データの授受可能とされている。
【００１１】
図２はソフトウェアとハードウェアを含む本発明の取り込み方法を実施しうるシステム構成を示す図である。図２において２０１はハードウェアであり、２０２はハードウェア２０１の上で動作するオペレーティングシステム（ＯＳ）であり、２０３はＯＳ２０２の上で動作するアプリケーションソフトウェアである。２０４はハードウェアを構成し、その他のハードウェア２０１やＯＳ２０２を介してシステムを動作させる制御部である。なお、ハードウェア２０１とＯＳ２０２を構成するブロックのうち、構成要件として当然含まれるが、本発明の実施例を説明する上で直接必要としないブロックに関しては図示していない。そのような図示していないブロック例としては、ＯＳではメモリ管理システム等がある。図２において２０２１はＯＳを構成するファイルシステムであり、アプリケーションソフトウェア２０３がハードウェア２０１を意識せずにファイルの入出力が行える機能がある。２０１１はファイルシステム２０２１がハードディスク２００９の読み書きを行うためのディスクＩＯインターフェースである。ハードディスク２００９には、ＣＰＵ２０４１により実行されるアプリケーションソフトウェア２０３が記憶されている。２０２２はＯＳを構成する描画管理システムであり、アプリケーションソフトウェア２０３がハードウェア２０１を意識せずに描画が行えるようにする機能がある。２０１２は描画管理システム２０２２がディスプレイ１０２に描画を行うためのビデオインターフェースである。２０２３はＯＳを構成する入力デバイス管理システムであり、アプリケーションソフトウェア２０３がハードウェア２０１を意識せずに、ユーザの入力を受け取ることができるようにする機能がある。２０１３は入力デバイス管理システム２０２３がキーボード１０５やマウス１０３からの入力を受け取るための入力デバイスインターフェースである。１０６はデジタルカメラであり、本例ではＵＳＢケーブル経由で接続される。これはＵＳＢインターフェース部２０１４を介して、外部インターフェース管理システム２０２４が管理する。通信モジュール部２０３２は、この外部インターフェース管理システム２０２４と通信を行う。本実施の形態では、これらＵＳＢインターフェース部２０１４、外部インターフェース管理システム２０２４、通信モジュール部２０３２の少なくとも１つが取り込み手段に相当する。本実施の形態で表示制御手段に相当する取り込み中画像データ再生アプリケーション２０３１は、通信モジュール２０３２を使ってデジタルカメラ１０６と画像・情報のやりとりをする。ＣＰＵ２０４１はシステムの動作全般の主制御部である。２０４２はＣＰＵ２０４１が実行するアプリケーションソフトウェア２０３や、ＣＰＵ２０４１により処理されるデータが読み込まれる物理メモリである。本実施の形態では図示していないが、ＰＣ１０１にメモリーカードスロットなどの外部記憶媒体とのインターフェースが備わっていれば、デジタルカメラを介さず直接メモリーカードからデジタルデータを取り込むこともできる。この場合外部記憶媒体は、外部記憶媒体とのインターフェースを介し外部インターフェース管理システム２０２４が管理する。この外部記憶媒体とのインターフェースも本発明の取り込み手段に相当しうる。
【００１２】
図３は本発明において転送装置の役目を果たすデジタルカメラの例である。３０１がＵＳＢインターフェースであり、ＰＣ１０１との接続に用いられる。３０２はモードスイッチであり、３０２ａにスイッチを切り替えると再生モードに・３０２ｂに切り替えると撮影モードになる。３０３はメモリーカードスロットである。デジタルカメラから画像情報をＰＣ１０１へと転送する場合は、モードスイッチ３０２を再生モードにしておく。撮影モードのときは、ＬＣＤ３０４に画像のプレビューが表示され、シャッターボタン３０５を押すことに不図示の撮像手段よって被写体が撮影され、メモリーカード３０６に記録される。なお、本実施の形態では、図３のデジタルカメラで撮影し記録される動画像のデジタル画像はＡＶＩ（Ａｕｄｉｏ  Ｖｉｄｅｏ  Ｉｎｔｅｒｌｅａｖｅｄ）とし、静止画像のデジタル画像はＪＰＥＧ（Ｊｏｉｎｔ  Ｐｈｏｔｏｇｒａｐｈｉｃ  Ｅｘｐｅｒｔｓ  Ｇｒｏｕｐ）とし、音声のデジタル音声データはＷＡＶ（Ｗｏｒｄ  Ａｕｄｉｏ  Ｖｉｄｅｏ）としている。再生モードのときは、ＬＣＤ３０４に撮影・記録された最後の画像が表示され、十字キーの左右ボタン３０７ａ・３０７ｂによって画像を順次送り再生を行う。また、メニューボタン３０８でＬＣＤ３０４上にメニューが表示される。左右ボタン３０７ａ・３０７ｂでメニュー項目を選択でき、ＳＥＴボタン３０９で確定できる。
【００１３】
なお、モードスイッチ３０２を再生モード３０２ａとし、デジタルカメラ側のＵＳＢインターフェース３０１とＰＣ側のＵＳＢインターフェース２０１４をＵＳＢケーブルで接続することで、デジタルカメラはＰＣ接続モードへとそのモードを変更する。このＰＣ接続モードになると、ＰＣ側からデジタルカメラを制御することができ、撮影モード時にメモリーカードへ記録されたデジタルデータをＰＣ側に転送することができる。
【００１４】
また、図３のデジタルカメラでは、画像に対してその画像をグルーピングするためにしおり情報を付加することができる。本実施の形態ではこのしおり情報が特定の付加情報に相当する。図６では撮像した画像６０１に対してしおり情報を付加する画面をＬＣＤ３０４に表示した図を示した。画像６０１に付加できるしおり情報は６０３、６０４、６０５、６０６、６０７、および６０８となっており、画像６０１上にリスト形式で表示されている。複数のしおり情報の中から、画像６０１に付加するしおり情報を決定するためには、３０７ｃと３０７ｄの十字キーでしおり情報の選択用カーソル６１０を移動させ、付加したいしおり情報が選択状態になっている状況でＳＥＴボタン３０９を押す。ここで付加されたしおり情報は画像のヘッダ部に記録される。
【００１５】
このような作業でしおり情報を付加した画像を解析すると、解析結果として図７のヘッダ部７０３が得られる。しおり情報の項目名は７０１として表現され、しおり情報の値は７０２として表現される。
【００１６】
なお、しおり情報を付加する設定は画像の撮像前に行っても良い。付加したいしおり情報をデジタルカメラで撮像前に設定しておけば、設定後に撮像された画像には設定されたしおり情報が付加される。
【００１７】
図７は取り込み中画像データ再生アプリケーション２０３１で扱うことができる画像の概念図である。本体画像部７０４はシャッターボタン３０５が押下された時点で、ＬＣＤ３０４でプレビューされていた画像の画素データで構成される。ヘッダ部７０３は、本体画像部７０４が記録されたときのデジタルカメラ１０６の設定内容である撮影情報や、本体画像７０４の縮小画像であるサムネイル７０５で構成される。また、しおり情報がヘッダ部７０３に付加されている場合、前述のようにしおり情報の項目名は７０１として表現され、しおり情報の値は７０２として表現される。画像のヘッダ部は画像ファイルを構成する要素であり、画像を記録・転送する際には本体画像と共に一つの画像ファイルとして記録・転送される。このようにヘッダ部に記録されたしおり情報を用いれば、取り込み装置にはしおり情報を読み込むために画像ファイル以外のファイル形式を読み込む構成は特段必要としない。したがって簡単な構成で本発明を実施できる。
【００１８】
図１２にメモリーカード３０６のファイル構造を示す。メモリーカード３０６には、ルートディレクトリ１２０１の下に、ディレクトリ１２０２があり、さらにその下にディレクトリ１２０３が設けられ、ディレクトリ１２０３の下に画像（１２０４から１２０７）が記録される。なお、ディレクトリ１２０３の下に記録された画像のみがＰＣ１０１に転送される。
【００１９】
なお、本実施の形態では特定の付加情報として画像のヘッダ部に記録されたしおり情報７０２を用いるが、本発明を画像のヘッダ部以外に記録されているしおり情報に適用することもできる。この場合、例えば画像ファイルとは別のファイルに記録されたしおり情報に適用することなどが挙げられる。画像ファイルとは別のファイル、あるいはそこに記録されたしおり情報が、画像ファイルに関連付けられていれば、本発明を適用することができる。
【実施例１】
【００２０】
本実施例では画像を取り込む際に特定の画像を目立たせる方法として、しおり情報の付加された画像を取り込み時間の１．５倍の時間表示する方法について説明する。説明には、画像の取り込み時間と、その画像をディスプレイ１０２に表示する表示時間を示した図４と、ＰＣ側の処理内容を図示したフローチャート図５を用いる。なお、本実施例では画像の取り込み時間の１．５倍を表示時間としているが、１．５倍以外の倍率であっても適応可能である。
【００２１】
図４の４００１から４００７はデジタルカメラから送信され、ＰＣ１０１で取り込む画像を示している。４１０１から４１０７は、画像の取り込みを開始してからその画像の取り込みを完了するまでの取り込み時間を示している。４２０１から４２０７は、取り込み中画像のサムネイルもしくは取り込み直後の画像の本体画像がディスプレイ１０２に表示されている表示時間を示している。
【００２２】
まず、画像を取り込む前に、ＰＣ側ではＳ５００１とＳ５００２の処理を行い、画像の取り込みの準備を行う。Ｓ５００１では取り込み中画像再生アプリケーション２０３１を開始し、次にＳ５００２で画像の取り込みにかかる時間を計測するタイマーを初期化する。初期化するとタイマーの記録は０クリアされる。取り込み中画像再生アプリケーション２０３１では、タイマーの値０を数値無しとして扱っている。
【００２３】
本実施例では、次の６つの状態を説明する。
状態１：しおり情報付き画像の取り込み後、しおり情報無し画像を取り込む。
状態２：しおり情報付き画像の取り込み後、しおり情報付き画像を取り込む。
状態３：しおり情報無し画像の取り込み後、しおり情報無し画像を取り込む。
状態４：しおり情報無し画像の取り込み後、しおり情報付き画像を取り込む。
状態５：しおり情報付き画像を最後に取り込む。
状態６：しおり情報無し画像を最後に取り込む。
【００２４】
［状態１］  しおり情報付き画像の取り込み後、しおり情報無し画像を取り込む。
しおり情報付き画像の取り込みを完了した後にしおり情報無し画像の取り込みを開始した場合、しばらくの間直前に取り込みを完了したしおり情報付き画像を表示する。このとき直前に取り込みを完了したしおり情報付き画像については、その取り込んだ時間の半分の時間ディスプレイ１０２に本体画像を表示する。そのときの例を示す。
【００２５】
先に取り込みを完了するしおり情報付き画像を画像４００１とし、続いて取り込むしおり情報無し画像を画像４００２とする。まずはＳ５００３で、デジタルカメラから送信される画像４００１のヘッダ部分の取り込みを開始する。Ｓ５００３で画像のヘッダ部の取り込みを完了すると、Ｓ５００４で画像のヘッダ部を解析する。Ｓ５００４でヘッダ部を解析し、その中に１６０×１２０の大きさのＤＣＦサムネイルデータと、デジタルカメラで付加されたしおり情報が見つかれば、Ｓ５００５でサムネイルデータを抽出し、Ｓ５００６でしおり情報を抽出する。そしてＳ５００７で、取り込み中の画像にしおり情報が付加されているかを判別する。画像にしおり情報が付加されている場合はＳ５１０１に進み、しおり情報付き画像の取り込み用シーケンスを開始する。逆に、画像にしおり情報が付加されていない場合は、Ｓ５２０１に進み、しおり情報が付加されていない画像用シーケンスを開始する。
【００２６】
画像４００１にはしおり情報が付加されているため、しおり情報付き画像取り込み用シーケンスを開始する。
【００２７】
まず、Ｓ５１０１で画像の取り込み時間を計測するタイマーを初期化し、Ｓ５１０２でそのタイマーを起動する。次にＳ５１０３で画像４００１のヘッダ部以外の取り込みを開始する。ヘッダ部以外の取り込みを開始すると、Ｓ５１０４でそのときまで表示されているＤＣＦサムネイルがあればサムネイルの表示をやめ、Ｓ５１０５で取り込み中画像のＤＣＦサムネイルを表示する。Ｓ５１０６で画像４００１の取り込み完了となると、Ｓ５１０７ではＳ５１０２で開始したタイマーを止め、さらにＳ５１０８ではタイマーの数値を取り込み時間４１０１の半分にする。
【００２８】
ここまででしおり情報付き画像４００１の取り込みは完了であるが、画像４００１の後にもデジタルカメラから画像が転送されてくるため、Ｓ５２０６からＳ５００３へ進み、画像４００２のヘッダ部の取り込みを開始する。
【００２９】
画像４００２も、画像４００１と同様にＳ５００４、Ｓ５００５、Ｓ５００６と処理を進める。しかし、画像４００２にはしおり情報が付加されていないため、Ｓ５００７の次にはしおり情報が付加されていない画像用シーケンスの先頭のステップであるＳ５２０１に進む。
【００３０】
Ｓ５２０１ではタイマーに有効な記録があるかを確認する。画像４００２の取り込み前に、しおり情報が付加された画像４００１を取り込んだため、０ではない有効な記録が残されている。そのため、Ｓ５３０１へ進み、画像４００２のヘッダ部以外の取り込みを開始する。続くＳ５３０２でディスプレイ１０２に表示していた前画像４００１のサムネイル表示をやめる。そしてＳ５３０３では、取り込み中の画像４００２のＤＣＦサムネイルを表示するのではなく、直前に取り込みを完了しているしおり情報付き画像４００１の本体画像をディスプレイ１０２に表示する。結果、サムネイルから本体画像に変わるものの、画像４００１が継続して表示される。
【００３１】
ディスプレイ１０２に画像４００１の本体画像を表示すると、Ｓ５３０４ではタイマーの数値を減らしはじめる。そしてＳ５３０５でタイマーの値が０になったらＳ５２０３へと進む。Ｓ５２０３ではディスプレイ１０２に表示されている画像４００１の本体画像の表示をやめ、Ｓ５２０４で現在取り込んでいる画像４００２のＤＣＦサムネイルをディスプレイ１０２に表示する。
【００３２】
そしてＳ５２０５で画像４００２のヘッダ部以外の取り込みを完了する。
【００３３】
このような処理をおこなうことで、しおり情報なし画像４００２の取り込み時間の一部をしおり情報付き画像４００１の表示時間に充てることができる。この画像４００１の表示時間のうち、取り込み後も継続して画像４００１を表示している時間（画像４００２の取り込み時間から充てられた時間）中はすでに画像４００１の取り込みが終了しているので、サムネイルではなく本体画像を表示する。この方法によれば、画像４００２の取り込み時間には影響を与えずに、しおり情報付き画像４００１を高精細に長く表示し、目立たせることができる。このとき、Ｓ５１０５で画像４００１のサムネイルを、Ｓ５３０３で画像４００１の本体画像をディスプレイ１０２に表示していた時間の合計時間が表示時間４２０１である。しおり情報つき画像４００１を表示している表示時間４２０１は取り込み時間４１０１の１．５倍の時間である。
【００３４】
ここでは、しおり情報付き画像４００１の表示時間４２０１が長くなることで、しおり情報無し画像４００２の表示時間４２０２が０秒になることを許可してもよい。もしくは、しおり情報無し画像４００２の表示時間４２０２に下限表示時間設定を行い、表示時間４２０２を下限表示時間以上と保障してもよい。
【００３５】
［状態２］  しおり情報付き画像の取り込み後、しおり情報付き画像を取り込む。
状態１ではしおり情報付き画像は取り込み完了後も、取り込み時間の半分の時間その本体画像を表示をしていた。しかし、しおり情報付き画像の取り込みを完了した後に別のしおり情報付き画像の取り込みを開始した場合は、ディスプレイ１０２には現在取り込み中のしおり情報付き画像のＤＣＦサムネイルを表示する。そのときの例を示す。
【００３６】
先に取り込みを完了するしおり情報付き画像を画像４００６とし、続いて取り込むしおり情報付き画像を画像４００７とする。Ｓ５１０６で画像４００６の取り込みが完了すると、Ｓ５１０７とＳ５１０８で画像４００６の取り込み時間４１０６の半分の時間をタイマーに設定する。画像４００６に続いて画像４００７を取り込むので、Ｓ５２０６からＳ５００３へ進み、次の画像４００７の取り込みを開始する。Ｓ５００４では画像４００７のヘッダ部を解析し、Ｓ５００５ではＤＣＦサムネイルを抽出、そしてＳ５００６ではしおり情報を抽出する。画像４００７にはしおり情報が付加されているため、Ｓ５００７の次には５１０１へと進む。Ｓ５１０１では、タイマーを初期化し、Ｓ５１０２でタイマーを起動して取り込み中画像４００７の取り込みが完了するまで時間を計測する。続いてＳ５１０３では、画像４００７の既に取り込みを完了したヘッダ部以外の部分の取り込みを開始する。ヘッダ部以外の部分の取り込みを開始すると、Ｓ５１０４で直前まで表示されている画像４００６のＤＣＦサムネイルの表示をやめ、Ｓ５１０５で取り込み中の画像４００７のＤＣＦサムネイルを表示する。Ｓ５１０６で画像４００７の取り込み完了となると、Ｓ５１０７ではＳ５１０２で開始したタイマーを止め、さらにＳ５１０８ではタイマーの数値を取り込み時間４１０７の半分にする。
ここまででしおり情報付き画像４００７の取り込みは完了である。
【００３７】
状態２では、しおり情報付き画像を目立たせるよりも、取り込み時間に影響を与えないことを優先している。しおり情報付き画像を目立たせるために、全画像トータルの取り込み時間を延ばしてまでしおり情報付き画像を長く表示することはしない。そのため、しおり情報付き画像の取り込みを完了しても、次に取り込む画像にしおり情報が付加されていれば、直前まで表示していたしおり情報付き画像のＤＣＦサムネイル表示は次の画像の取り込み開始と共に終了する。また、これにより、次に取り込むしおり情報付き画像の表示時間はその取り込み時間より短くなることはない。このとき、画像４００６の取り込み時間４１０６と画像４００６の表示時間４２０６は同じ長さとなる。
【００３８】
［状態３］  しおり情報無し画像の取り込み後、しおり情報無し画像を取り込む。
しおり情報無し画像の取り込みを完了した後に別のしおり情報無し画像の取り込みを開始した場合、ディスプレイ１０２には現在取り込み中のしおり情報無し画像のＤＣＦサムネイルを表示する。そのときの例を示す。
【００３９】
先に取り込みを完了するしおり情報無し画像を画像４００２とし、続いて取り込むしおり情報無し画像を画像４００３とする。Ｓ５２０５でしおり情報無し画像４００２のヘッダ部以外の取り込みが完了すると、続いて画像４００３を取り込むので、Ｓ５２０６からＳ５００３へ進み、次の画像４００３の取り込みを開始する。
【００４０】
Ｓ５００４では画像４００３のヘッダ部を解析し、Ｓ５００５ではＤＣＦサムネイルを抽出、そしてＳ５００６ではしおり情報を抽出する。画像４００３にはしおり情報が付加されていないため、Ｓ５００７の次にはＳ５２０１へと進む。
【００４１】
Ｓ５２０１では、タイマーに有効な記録があるかを確認する。画像４００３の取り込み時においては、しおり情報無し画像４００２の取り込み直後のため、タイマーには有効な記録が残されていない。そのため、Ｓ５２０２へと進む。Ｓ５２０２では画像４００３のヘッダ部以外の取り込みを開始する。Ｓ５２０３では前画像４００２のサムネイル表示をやめ、Ｓ５２０４で現在取り込んでいる画像４００３のＤＣＦサムネイルをディスプレイ１０２に表示する。
【００４２】
そしてＳ５２０５で画像４００３のヘッダ部以外の取り込みを完了する。
【００４３】
しおり情報無し画像の取り込みを完了すると、次の画像が取り込み始めた時点で次の画像にしおり情報が付加されているかいないかにかかわらず、ＤＣＦサムネイルの表示は終了する。このとき、画像４００２の取り込み時間４１０２に比べて、画像４００２の表示時間４２０２は同じ長さとなる。表示時間４２０２は、しおり情報無し画像の後に取り込む画像に影響するのではなく、しおり情報無し画像の前に取り込んだ画像に影響される。状態３では、しおり情報無し画像の表示時間は、そのしおり情報無し画像の取り込み時間を越えることはない。
【００４４】
［状態４］  しおり情報無し画像の取り込み後、しおり情報付き画像を取り込む。
しおり情報無し画像の取り込みを完了した後にしおり情報付き画像の取り込みを開始した場合、ディスプレイ１０２には現在取り込み中のしおり情報付き画像のＤＣＦサムネイルを表示する。そのときの例を示す。
【００４５】
先に取り込みを完了するしおり情報無し画像を画像４００３とし、続いて取り込むしおり付き画像を画像４００４とする。Ｓ５２０５でしおり情報無し画像４００３のヘッダ部以外の取り込みが完了すると、続いて画像４００４を取り込むので、Ｓ５２０６からＳ５００３へ進み、次の画像４００４の取り込みを開始する。Ｓ５００４では画像４００４のヘッダ部を解析し、Ｓ５００５ではＤＣＦサムネイルを抽出、そしてＳ５００６ではしおり情報を抽出する。画像４００４にはしおり情報が付加されているため、Ｓ５００７の次にはＳ５１０１へと進む。Ｓ５１０１では、タイマーを初期化し、Ｓ５１０２でタイマーを起動して取り込み中画像４００４の取り込みが完了するまで時間を計測する。続いてＳ５１０３では、画像４００４の既に取り込みを完了したヘッダ部以外の取り込みを開始する。ヘッダ部以外の取り込みを開始すると、Ｓ５１０４で直前まで表示されている画像４００３のＤＣＦサムネイルの表示をやめ、Ｓ５１０５で取り込み中の画像４００４のＤＣＦサムネイルを表示する。Ｓ５１０６で画像４００７の取り込み完了となると、Ｓ５１０７ではＳ５１０２で開始したタイマーを止め、さらにＳ５１０８ではタイマーの数値を取り込み時間４１０４の半分にする。
ここまででしおり情報付き画像４００４の取り込みは完了となる。
【００４６】
しおり情報無し画像の取り込みを完了すると、次の画像が取り込み始めた時点で次の画像にしおり情報が付加されているかいないかにかかわらず、ＤＣＦサムネイルの表示は終了する。このとき、画像４００３の取り込み時間４１０３に比べて、画像４００３の表示時間４２０３は同じ長さ以下となる。表示時間４２０３は、しおり情報無し画像の後に取り込む画像に影響するのではなく、しおり情報無し画像の前に取り込んだ画像に影響される。状態４でも、しおり情報無し画像の表示時間は、そのしおり情報無し画像の取り込み時間を越えることはない。
【００４７】
［状態５］  しおり情報付き画像を最後に取り込む。
しおり情報付き画像が一番最後に取り込まれた画像であった場合の、ディスプレイ１０２の状態を説明する。画像にしおり情報が付加されていても、全ての画像の取り込みを完了した時点で、ディスプレイ１０２にはいかなる画像も表示しない。そのときの例を示す。
【００４８】
一番最後に取り込まれるしおり情報付き画像を４００７とする。Ｓ５１０６で画像４００７の取り込み完了となると、Ｓ５１０７ではＳ５１０２で開始したタイマーを止め、さらにＳ５１０８ではタイマーの数値を取り込み時間４１０７の半分にする。ここまででしおり情報付き画像４００７の取り込みは完了となる。
【００４９】
Ｓ５２０６では全画像の取り込み完了かを判別する。画像４００７の後に取り込む画像は存在しないため、Ｓ５４０１に進み、ディスプレイ１０２に表示されている画像４００７のＤＣＦサムネイルの表示を中止し、Ｓ５４０２で取り込み中画像再生アプリケーション２０３１を終了する。
【００５０】
状態５では、しおり情報付き画像を目立たせるよりも、取り込み時間に影響を与えないことを優先している。しおり情報付き画像を目立たせるために、全画像トータルの取り込み時間を延ばしてまでしおり情報付き画像を長く表示することはしない。そのため、しおり情報付き画像が一番最後に取り込まれた画像であっても、ディスプレイ１０２の表示を全画像取り込み終了時に終える。このとき、画像４００７の取り込み時間４１０７は画像４００７の表示時間４２０７と同じ長さになる。
【００５１】
［状態６］  しおり情報無し画像を最後に取り込む。
しおり情報無し画像が一番最後に取り込まれた画像であった場合の、ディスプレイ１０２の状態を説明する。画像にしおり情報が付加されていない場合も、全ての画像の取り込みを完了した時点で、ディスプレイ１０２にはいかなる画像も表示しない。そのときの例を示す。
【００５２】
Ｓ５２０５でしおり情報無し画像のヘッダ部以外の取り込みが完了すると、ここまでで全ての画像の取り込みが完了となる。Ｓ５２０６では全画像の取り込み完了かを判別する。先ほど取り込みを完了したしおり情報無し画像の後に取り込む画像は存在しないため、Ｓ５４０１に進む。Ｓ５４０１ではディスプレイ１０２に表示されている画像のＤＣＦサムネイルの表示を中止し、Ｓ５４０２で取り込み中画像再生アプリケーション２０３１を終了する。
以上のことから、しおり情報無し画像が一番最後に取り込まれた画像であっても、ディスプレイ１０２の表示を全画像取り込み時に終えることができる。
【００５３】
このようにして、画像に対してしおり情報が付加されている場合、その画像の表示時間を取り込み時間以上にでき、なおかつ取り込み終了と同時に画像の表示を終了できる表示方法を実現できる。
【００５４】
さらに、デジタルカメラで付加する情報がＰＣ側で解析できるものであれば、デジタルカメラには特別な機能を追加する必要がない。
【００５５】
なお、ここまでで示した実施例では、取り込み中画像を表示させるだけであった。しかし、取り込み中画像だけでなく、しおり情報付き画像のヘッダ部を解析して得られたしおり情報を元に、しおり情報そのものを表示したり、アイコン化したしおり情報を表示したり、しおり情報付き画像にしおり情報枠をつけて表示することもできる。
【００５６】
まず、図８にはしおり情報付き画像としおり情報の存在を示す文字列８０２を同時に表示している例を示す。ウィンドウ８０１には取り込み中画像サムネイル８０４が表示されている。文字列８０２は、ウィンドウ８０１上に表示することができる。また、文字列８０２をウィンドウ８０１とは異なるウィンドウ８０３に表示することも可能である。しおり情報８０２をクリックすることで、文字列８０２の表示状態と非表示状態を切り換えてもよい。また、取り込み中画像サムネイル８０４が表示される領域をマウスボタン１０４でクリックすることで、取り込み中画像サムネイル８０４の表示と非表示を切り換えてもよい。
【００５７】
次に、図９にはしおり情報付き画像とアイコン化したしおり情報を同時に表示している例を示す。ウィンドウ８０１には取り込み中画像サムネイル８０４が表示されている。アイコン化したしおり情報９０２は、ウィンドウ８０１上に表示することができる。また、アイコン化したしおり情報９０２をウィンドウ８０１とは異なるウィンドウ８０３に表示することも可能である。アイコン化したしおり情報９０２をクリックすることで、アイコン化したしおり情報９０２の表示状態と非表示状態を切り換えてもよい。また、取り込み中画像サムネイル８０４が表示される領域をマウスボタン１０４でクリックすることで、取り込み中画像サムネイル８０４の表示と非表示を切り換えてもよい。
【００５８】
最後に、図１０ではしおり情報付き画像の周囲にしおり情報枠１００２をつけて表示している例を示す。ウィンドウ８０１には取り込み中画像サムネイル８０４が表示されている。取り込み中画像サムネイル８０４をクリックすることで、しおり情報枠１００２の表示状態と非表示状態を切り換えてもよい。また、取り込み中画像サムネイル８０４が表示される領域をマウスボタン１０４でクリックすることで、取り込み中画像サムネイル８０４の表示と非表示を切り換えてもよい。
【００５９】
さらに、ここまでで示した実施例では、ヘッダ部にサムネイルを持つ画像であれば、どんな画像にも適応することができる。また、Ｓ５３０３で表示するのは本体画像とだけ記載しているが、１つの画像ファイルをすべて取り込んだ後に利用できるものならばすべて本実施例を適応することができる。例えば、ＲＡＷ画像や動画像などが当てはまる。ＲＡＷ画像の場合であれば、しおり情報が付加されていればＳ５３０３でＲＡＷ画像に内蔵されたＪＰＥＧを表示することができる。システムの情報処理能力が高い場合は、ＲＡＷ画像を現像処理して表示することも考えられる。動画像の場合であれば、動画像ファイルにしおり情報が不可されていればＳ５３０３で取り込みが完了した動画像を再生表示することが考えられる。動画像の場合、動画像ファイル１つという単位に対しヘッダ部が１つである場合と、動画像ファイル１つに対し複数のヘッダ部を持つ（例えば一定フレーム毎、一定時間毎といった一定単位毎にヘッダ部を持つことが考えられる）場合とが考えられる。どちらの場合でも、各ヘッダ部のしおり情報の有無に応じて、各ヘッダ部に対応する単位ごとに本実施例を適用できる。
【００６０】
なお、図５のＳ５３０２、Ｓ５３０３においては、前画像のサムネイル表示をやめ直前に取り込んだしおり情報付き画像の本体画像を表示しているが、ここでは前画像のサムネイル表示をやめずに継続して表示してもよい。本体画像の高精細さは得られないが，通常より長く表示するためにしおり情報付き画像が目立ち、本実施例の効果が損なわれるものではない。
【００６１】
また、本実施例ではしおり情報の種類については言及していないが、図６に示したようにしおり情報が複数種類ある場合が考えられる。この場合、しおり情報を種類に関係なく特定の付加情報として本発明を適用しても良いし、複数種類あるしおり情報の中から１つあるいは複数の特定の種類のしおり情報だけを特定の付加情報として本発明を適用しても良い。すなわち、種類に関係なく１つ以上のしおり情報が画像に付加されていればしおり情報付き画像として扱う、又は１つあるいは複数の特定の種類のしおり情報のうち、少なくとも１つあるいはすべてが付加されている画像をしおり情報付き画像として扱うとしても良い。
【００６２】
本実施例によれば、画像の取り込み時間には影響を与えずに、しおり情報の付加された画像を目立たせることができる。
【実施例２】
【００６３】
画像に付加されているしおり情報の種類によっては、ディスプレイ１０２にその画像の表示を行わない仕様も望ましい場合もある。取り込み中画像再生アプリケーション２０３１ではディスプレイ１０２に表示する画像や文字列を用意することで、非表示の画像があっても不自然さを出さないことができる。図１１に、しおり情報が付加されたある画像の取り込みと、その画像に付加されたしおり情報を元にしたディスプレイ１０２への表示内容を決定するフローチャートを示した。
【００６４】
まず、Ｓ１１０１で画像の取り込みを開始する。次にＳ１１０２で画像のヘッダ部の取り込みを開始し、Ｓ１１０３では取り込んだヘッダ部の解析を行い、Ｓ１１０４でヘッダ部からＤＣＦサムネイルを抽出し、Ｓ１１０５でヘッダ部からしおり情報を抽出し、Ｓ１１０６でヘッダ部以外の取り込みに入る。
【００６５】
続いて、Ｓ１１０７ではしおり情報がヘッダから取得できたかを確認する。しおり情報が取得できない場合、Ｓ１１１４へ進み、取り込み中画像のＤＣＦサムネイルをディスプレイ１０２で表示する。Ｓ１１０７でしおり情報の存在が確認された場合、Ｓ１１０８へ進み、Ｓ１１０８ではそのしおり情報が取り込み中画像の非表示に設定されたしおり情報かを確認する。非表示にする必要がない場合、Ｓ１１１４へ進み、取り込み中画像のＤＣＦサムネイルをディスプレイ１０２で表示する。
【００６６】
Ｓ１１０８で非表示にする必要が確認された場合、Ｓ１１０９へ進む。Ｓ１１０９では、取り込み中画像再生アプリケーション２０３１に取り込み中の画像の代わりに表示する代理画像が用意されているかを確認する。用意されていれば、Ｓ１１１１へ進み、代理画像をディスプレイ１０２で表示する。
【００６７】
代わりに表示する画像が用意されていない場合、Ｓ１１１０へ進む。Ｓ１１１０では、現在取り込み中の画像が、取り込み中画像再生アプリケーション２０３１の起動後から一番最初に取り込んだ画像かを確認している。
【００６８】
一番最初に取り込んだ画像でなければ、Ｓ１１１３へ進み、ディスプレイ１０２に現在表示している内容を引き続き表示する。一番最初に取り込んだ画像であれば、Ｓ１１１２へ進み、ディスプレイ１０２には「取り込みの準備中」等の文字列を表示する。
【００６９】
ここで示したように、取り込み中画像を表示するシステムにおいて、しおり情報に従ってしおり情報付き画像を非表示にすることができる。
【００７０】
また、実施例２で示した処理を実施例１で示した図５の処理と組み合わせて実施することも可能である。図５のＳ５００７でＹｅｓの後に図１１のＳ１１０８に進み、Ｓ１１０８でＮｏならば図５のＳ５１０１に、Ｙｅｓならばヘッダ部以外の取り込みを開始して図１１のＳ１１０９に進む。Ｓ１１０９の後は図１１のフローに従い、Ｓ１１１５の後に図５の５２０６に進む。以上のようにして実施例２で示した非表示に設定されたしおり情報の付加された画像の処理を実施例１で示した処理と組み合わせて実施することができる。
【実施例３】
【００７１】
本実施例では画像を取り込む際に特定の画像を目立たせる方法として、特定の画像以外を縮小表示する方法を説明する。しおり情報無し画像をウィンドウ８０１に表示する際に、しおり情報無し画像のサムネイルを縮小表示させる例を示す。これによりしおり情報付き画像のサムネイルとしおり情報無し画像のサムネイルの表示サイズでの差別化をすることができ、結果としてしおり情報付き画像のサムネイルを目立たせることができる。
【００７２】
具体的な例を挙げる。しおり情報付き画像を取り込む際には、図１３のサムネイル８０４ａをウィンドウ８０１上に取り込み中画像として表示する。サムネイル８０４ａの縦方向のサイズは１６０ｐｉｘｅｌで、横方向のサイズは１２０ｐｉｘｅｌである。
【００７３】
しおり情報無し画像を取り込む際には、図１３のサムネイル８０４ｂをウィンドウ８０１上に取り込み中画像として表示する。サムネイル８０４ｂの縦方向のサイズは８０ｐｉｘｅｌで、横方向のサイズは６０ｐｉｘｅｌである。ここでのサムネイル８０４ｂのサイズは、実際にヘッダ部に格納されているＤＣＦサムネイルのサイズの半分としているが半分にこだわる必要はない。また、サムネイル８０４ａとサムネイル８０４ｂの画像サイズの縦横比を同じにする必要はない。
【００７４】
図１６に以上の処理を実現する手順を流れ図として示す。
まず、Ｓ１６０１にて取り込み中画像再生アプリケーション２０３１の起動を行う。取り込み中画像再生アプリケーション２０３１の内部では、同時に２つの処理を行う。一方は画像の取り込みと表示を行う処理であり、もう一方はリサイズ表示の無効有効を切り換える処理である。２つの処理を同時に行うためには、メインスレッドでどちらかの処理を行い、ワーカスレッドでもう一方の処理を行うなど、それぞれの処理を担当するスレッドを別にすることで実現できる。
【００７５】
まずはリサイズ表示の無効有効を切り換える処理について述べる。ユーザの意思によってリサイズ表示を有効にするか無効にするかを切り換える。
【００７６】
Ｓ１６０１で取り込み中画像再生アプリケーション２０３１が起動されると、取り込み中画像再生アプリケーション２０３１はリサイズ表示無効／有効切り換え手段を起動する（Ｓ１６２０）。本実施の形態では、図１４に示した８０４ａと図１５に示した８０４ｂの表示領域をリサイズ表示無効／有効手段に割り当てる。リサイズ表示無効／有効手段をマウスボタン１０４でクリックすることを、リサイズ表示無効／有効手段への入力とする。
【００７７】
Ｓ１６２０を終えると、Ｓ１６２１にてリサイズ表示無効／有効切り換え手段への入力を待つ。入力があった場合、Ｓ１６２２へ進み、入力があった時点でリサイズ表示の有効無効を判断する。無効となっている場合、Ｓ１６２３へ進み、リサイズ表示を有効にする。そして再度Ｓ１６２１に戻り、入力があるまで待機する。逆に有効となっている場合、Ｓ１６２４へ進み、リサイズ表示を無効にする。そして再度Ｓ１６２１へ進み、入力があるまで待機する。リサイズ表示無効／有効切り換え手段は、Ｓ１６１１で終了の指示があるまで起動し続ける。
【００７８】
続いて画像の取り込みと表示を行う処理について述べる。
最初に、Ｓ１６０２にて画像の取り込みを開始する。続いてＳ１６０３にて画像のヘッダ部を解析し、Ｓ１６０４で解析したヘッダ部からサムネイル８０４として表示するためのＤＣＦサムネイルを抽出する。さらにヘッダ部にしおり情報が付加されているかをＳ１６０５で判別する。
【００７９】
画像にしおり情報が付加されていた場合、Ｓ１６０６へ進み、取り込み中画像のＤＣＦサムネイルをリサイズせずにディスプレイ１０２に図１４のように表示する。
【００８０】
画像にしおり情報が付加されていない場合、Ｓ１６０７へ進み、しおり情報無し画像のＤＣＦサムネイルをリサイズ表示が有効かを判別する。
【００８１】
リサイズが無効であった場合、Ｓ１６０６へ進み、取り込み中画像のＤＣＦサムネイルをリサイズせずにディスプレイ１０２に図１４のように表示する。しかし、リサイズが有効になっている場合、Ｓ１６０８へ進み、取り込み中画像のＤＣＦサムネイルを半分のサイズにリサイズしてディスプレイ１０２に図１５のように表示する。
【００８２】
Ｓ１６０６、またはＳ１６０８で取り込み中画像データの表示を開始し、続いてＳ１６０９で取り込み中画像の取り込み完了まで待つ。Ｓ１６０９が完了すると、Ｓ１６１０へ進み、先ほど取り込みを終えた画像で全画像の取り込みが完了したかを判別する。まだ取り込むべき画像が残っている場合、Ｓ１６０２へ戻り、取り込むべき画像がなくなるまでこれまでの処理を繰り返す。全画像取り込み完了であれば、Ｓ１６１１へ進み、画像の取り込みと表示を行う処理とは別のスレッドとして起動した、リサイズ表示の無効有効を切り換える処理を終了させる。最後にＳ１６１２で取り込み中画像再生アプリケーション２０３１を終了し、全体の処理を完了する。
【００８３】
なお、本実施例ではしおり情報の種類については言及していないが、しおり情報が複数種類ある場合は実施例１と同様の扱いができる。すなわち、種類に関係なく１つ以上のしおり情報が画像に付加されていればしおり情報付き画像として扱う、又は１つあるいは複数の特定の種類のしおり情報のうち、少なくとも１つあるいはすべてが付加されている画像をしおり情報付き画像として扱うとしても良い。
【００８４】
このように、しおり情報無し画像のサムネイルをリサイズして縮小表示させることで、しおり情報付き画像のサムネイルとしおり情報無し画像のサムネイルの表示サイズでの差別化ができ、結果としてしおり情報付き画像のサムネイルを目立たせることができる。また、本実施の形態で示した処理は、実施例１や実施例２の処理と適宜組み合わせて実施することも可能である。
【００８５】
以上、本発明をその好適な実施形態に基づいて詳述してきたが、本発明はこれら特定の実施形態に限られるものではなく、この発明の要旨を逸脱しない範囲の様々な形態も本発明に含まれる。
【００８６】
本実施の形態では、特定の付加情報としてしおり情報を用いる例を示したが、特定の付加情報はしおり情報に限られるものではなく、画像の属性情報であればどんな情報でも用いることができる。すなわち、画像の属性情報である特定の撮像日時や特定の画素数といった情報を特定の付加情報として本発明を適用することができる。
【００８７】
また、画像を取り込む際というのは画像の取り込み中に時間的に完全に一致するものに限られるものではなく、ユーザあるいは画像を取り込む情報処理装置が取り込みに係る作業中に情報処理装置が取り込みに係る表示をするものであれば本発明を適用できる。例えば、画像取り込みの最中は一つ前に取り込んだ画像を表示する構成とすれば、画像表示に高精細な本体画像を利用することができる。さらにすべての画像の取り込み終了までに画像１枚分の取り込み時間しか遅れず、全体の取り込み時間に大きな影響は与えない。このような場合も本発明の適用範囲内である。
【００８８】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００８９】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００９０】
その場合、プログラムの機能を有していれば、オブジェクトコード、インタプリタにより実行されるプログラム、ＯＳに供給するスクリプトデータ等、プログラムの形態を問わない。
【００９１】
プログラムを供給するための記録媒体としては、例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ等が考えられる。また、光／光磁気記憶媒体、不揮発性の半導体メモリでもよい。
【００９２】
有線／無線通信を用いたプログラムの供給方法としては、次のような方法が考えられる。すなわち、コンピュータネットワーク上のサーバに本発明を形成するコンピュータプログラムそのもの、もしくはプログラムデータファイルを記憶し、接続のあったクライアントコンピュータにプログラムデータファイルをダウンロードするような方法である。
【００９３】
ここで、プログラムデータファイルは、本発明を形成するコンピュータプログラムを圧縮され自動インストール機能を含むファイル等も含む。
【００９４】
この場合、プログラムデータファイルを複数のセグメントファイルに分割し、セグメントファイルを異なるサーバに配置することも可能である。
【００９５】
つまり、本発明の機能処理をコンピュータで実現するためのプログラムデータファイルを複数のユーザに対してダウンロードさせるサーバ装置も本発明に含む。
【００９６】
また、上述の実施形態の機能を実現するプログラムを暗号化し記憶媒体に格納してユーザに配布し、所定の条件を満たしたユーザに対して暗号化を解く鍵情報を、ネットワークを介してダウンロードさせることによって供給するような方法も考えられる。その鍵情報を使用することにより暗号化されたプログラムを実行してコンピュータにインストールさせて本発明を実現することも可能である。
【００９７】
コンピュータが供給されたプログラムコードを実行することにより、上述の実施形態の機能が実現される。また、そのプログラムコードがコンピュータにおいて稼働しているＯＳ（オペレーティングシステム）あるいは他のアプリケーションソフト等の共同して上述の実施形態の機能が実現される場合にもかかるプログラムコードは本発明の実施形態に含まれる。
【００９８】
さらに、供給されたプログラムコードがコンピュータの機能拡張ボードやコンピュータに接続された機能拡張ユニットに備わるメモリに格納される場合にも本発明に含まれる。また、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【図面の簡単な説明】
【００９９】
【図１】プラットフォームとなる取り込み中画像再生システムの構成図
【図２】ソフトウェアとハードウェアを含む取り込み中画像再生システムの構成図
【図３】転送装置兼しおり情報付加機器の役目を果たすデジタルカメラの構成図
【図４】しおり情報の有無による、画像の表示時間の変化を示す図
【図５】しおり情報付き画像の表示時間を、取り込み時間の１．５倍にする手順を示した流れ図
【図６】デジタルカメラ画像の概念図
【図７】画像に付加されたしおり情報の確認例
【図８】取り込み中画像のしおり情報表示例
【図９】取り込み中画像のアイコン化しおり情報の表示例
【図１０】取り込み中画像のしおり情報枠の表示例
【図１１】非表示指定のしおり情報付き画像の処理手順を示した流れ図
【図１２】デジタルカメラ内メモリーカードのファイル構成図
【図１３】ＤＣＦサムネイルの縮小表示例
【図１４】ＤＣＦサムネイルを縮小せずに表示するウィンドウ例
【図１５】ＤＣＦサムネイルを縮小表示するウィンドウ例
【図１６】しおり情報に従ってＤＣＦサムネイルを縮小表示する処理手順を示した流れ図
【符号の説明】
【０１００】
２０１４  ＵＳＢインターフェース（取り込み手段に対応）
２０２４  外部インターフェース管理システム（取り込み手段に対応）
２０３１  取り込み中画像データ再生アプリケーション（表示制御手段に対応）
２０３２  通信モジュール（取り込み手段に対応）
【図１】
2007306380.tif 000003
【図２】
2007306380.tif 000004
【図３】
2007306380.tif 000005
【図４】
2007306380.tif 000006
【図５】
2007306380.tif 000007
【図６】
2007306380.tif 000008
【図７】
2007306380.tif 000009
【図８】
2007306380.tif 000010
【図９】
2007306380.tif 000011
【図１０】
2007306380.tif 000012
【図１１】
2007306380.tif 000013
【図１２】
2007306380.tif 000014
【図１３】
2007306380.tif 000015
【図１４】
2007306380.tif 000016
【図１５】
2007306380.tif 000017
【図１６】
2007306380.tif 000018